(57)【特許請求の範囲】
【請求項１】
高麗人参裁培用土壌にある根腐病を誘発するカビ菌を滅菌するための高麗人参裁培用土壌の滅菌方法において、
前記高麗人参裁培用土壌を一定の速度及び厚さで移送しつつ、土壌にあるカビ菌が滅菌されるように土壌に電子ビームを照射するとともに、前記電子ビーム照射前に前記高麗人参裁培用土壌を電磁石に通過させて、その中に存在する鉄を含む無機物を先ず除去することを特徴とする電子ビームを用いる高麗人参裁培用土壌の滅菌方法。
【請求項２】
前記電子ビーム照射時に前記土壌厚さは５ｃｍ以下であることと、その照射量は最小１０ｋＧｙ以上であることとを特徴とする請求項１に記載の電子ビームを用いる高麗人参裁培用土壌の滅菌方法。
【請求項３】
前記電子ビーム照射後に前記高麗人参裁培用土壌に拮抗微生物を供給することを特徴とする請求項１または２に記載の電子ビームを用いる高麗人参裁培用土壌の滅菌方法。
【請求項４】
前記拮抗微生物は、優占菌、アゼロンから選択されたいずれか１つまたは２つ以上であり、これらの拮抗微生物の菌株として使われる製剤としては、おがくず、ぬか、油粕、骨粉、魚粉、麩、ゼオライト、グルコース、ＣａＯ、Ｎａ２ＣＯ３のうちいずれか１つまたは２つ以上混合されたことを特徴とする請求項３に記載の電子ビームを用いる高麗人参裁培用土壌の滅菌方法。
【請求項５】
高麗人参裁培用土壌の滅菌システムにおいて、
高麗人参裁培用土壌を粉砕、スクリーニングして一定量ずつ供給する土壌供給機と、
前記土壌供給機を通じて供給された土壌を一定の速度で移送するメインコンベヤーと、
前記メインコンベヤーにより移送される土壌中の有害カビ菌を滅菌するように、電子ビームを照射する電子ビーム照射ユニットと、を備え、前記土壌供給機には、土壌に入っている無機物を除去するための電磁石が設けられたことを特徴とする電子ビームを用いる高麗人参裁培用土壌の滅菌装置。
【請求項６】
前記電子ビーム照射ユニットを過ぎるメインコンベヤーの一端には、電子ビーム照射により滅菌された土壌に拮抗微生物を添加する拮抗微生物供給機がさらに設けられたことを特徴とする請求項５に記載の電子ビームを用いる高麗人参裁培用土壌の滅菌装置。
【請求項７】
前記土壌供給機の前端には、土壌に含まれている塩類の除去のために、その下端に排水口を持って土壌が満たされる塩類除去タンクと、前記塩類除去タンクの上端に設けられ、かつ土壌に向けて水を噴射するスプリンクラーがさらに設けられたことを特徴とする請求項５または６に記載の電子ビームを用いる高麗人参裁培用土壌の滅菌装置。
【請求項８】
高麗人参裁培用土壌を粉砕、スクリーニングして一定量ずつ供給する土壌供給機と、
前記土壌供給機を通じて供給された土壌を一定の速度で移送するメインコンベヤーと、
前記メインコンベヤーにより移送される土壌中の有害カビ菌を滅菌するように電子ビームを照射する電子ビーム照射ユニットと、
メインコンベヤーの終端に設けられる土壌移送コンベヤーと、
土壌移送コンベヤーに沿って移送され、メインコンベヤーから排出される滅菌された土壌が充填されるようにその上部が開放されたボックス状になっている複数の高麗人参畑ユニットと、
滅菌された土壌が充填された高麗人参畑ユニットを土壌移送コンベヤーから移送された後、陰の所に移送させて定着させるガイドレールと、
を備えて構成されたことを特徴とする高麗人参裁培システム。
【請求項９】
前記ガイドレールは、高麗人参畑ユニットを太陽電池パネルにより形成された陰の所に移送させ、
前記高麗人参畑ユニットは、連結管及びラックにより太陽電池パネルの後ろの空間で一列または複数層に築き上げて層状に配列されることを特徴とする請求項８に記載の高麗人参裁培システム。
【請求項１０】
前記高麗人参畑ユニットの上端には、栄養分を噴射するように複数の穴を持つ液噴射管がさらに設けられたことを特徴とする請求項８または９に記載の高麗人参裁培システム。
【請求項１１】
前記高麗人参畑ユニットには、温度センサー及び湿度センサーがさらに備えられたことを特徴とする請求項８〜１０のいずれかに記載の高麗人参裁培システム。
【請求項１２】
前記高麗人参畑ユニットの上部には、曇りの日と雨の日に高麗人参の光合成活性化のために赤色または青色波長の光を照射する複数の赤色または青色ＬＥＤがさらに設けられたことを特徴とする請求項８〜１１のいずれかに記載の高麗人参裁培システム。
【請求項１３】
前記高麗人参畑ユニットの一側には、通風及び温度調節用冷却ファンがさらに設けられたことを特徴とする請求項８〜１２のいずれかに記載の高麗人参裁培システム。
【発明の詳細な説明】
【技術分野】
【０００１】
本発明は、電子ビームを用いる高麗人参裁培用土壌の滅菌方法及び滅菌装置と、これを用いた高麗人参裁培システムに係り、さらに詳細には、高麗人参裁培用土壌中に含まれている鉄、アルミニウムなどの無機物を除去し、土壌に電子ビームを照射して土壌内に存在する有害なカビ菌を滅菌した後、この滅菌された土壌で造成された高麗人参畑で、無農薬、有機農法による高品質の高麗人参を生産可能にする。また、このように滅菌された土壌を一定サイズの方形の高麗人参畑ユニットに満たし、この高麗人参畑ユニットを一列に、または層を重ねて組立てて太陽電池パネルの陰で高麗人参を裁培可能にすることで、気候条件に関係なく均一な品質の高麗人参裁培が可能に改善された電子ビームを用いる高麗人参裁培用土壌の滅菌方法及び滅菌装置と、これを用いた高麗人参裁培システムに関する。
【背景技術】
【０００２】
周知の如く、高麗人参（Ｐａｎａｘ  ｇｉｎｓｅｎｇ  Ｃ．Ａ．Ｍｅｙｅｒ）は、韓国で薬用植物として広く裁培されている特用作物であって、通例的に収穫は４〜６年後に行う。
【０００３】
かかる高麗人参は、６年根がその効能及び価格面ではるかに優秀なため、６年根まで裁培した後に収穫することが望ましいが、高麗人参が成長しつつ生じる各種カビ（Ｃｙｌｉｎｄｒｏｃａｒｐｏｎ  ｄｅｓｔｒｕｔａｎｓ、Ｆｕｓａｒｉｕｍ  ｓｏｌａｎｉ、Ｅｒｗｉｎｉａ  ｃａｒｏｔｏｖｏｒａ、Ｐｓｅｕｄｏｍｏｎａｓ  ｆｌｕｏｒｅｓｃｅｎｓ）などにより６年根まで育つ前に、主に４年根で予め収穫せざるを得ない場合が多い実情である。
【０００４】
また、高麗人参畑は、高麗人参を収穫した後にもこのような有害カビ菌が土壌中に残っているため、連作が不可能である。
【０００５】
このような理由のため、従来には、高麗人参を裁培する前に高麗人参畑の土壌を消毒する薫蒸消毒法（ｆｕｍｉｇａｔｉｏｎ）と、連作自体を回避して１０年ほど他の作物で輪作した後、高麗人参を再び裁培する方法が用いられた。しかし、薫蒸消毒法は、クロルピクリンが土壌中で分解されながら生成されるアンモニア系窒素のため土壌の窒素含有量が増加して高麗人参に生理的障害が引き起こされる可能性が大きく、輪作裁培法の場合には、高麗人参を裁培できる土地が限定されているという問題点があり、特に、田畑輪作である時には田に存在する化学肥料成分のために高麗人参に黄病を誘発する恐れがあって、ライ麦などを裁培して残留する無機養分を吸収させねばならないという短所があった。
【０００６】
それだけでなく、カビ菌（Ｃｙｌｉｎｄｒｏｃａｒｐｏｎ  ｄｕｓｔｒｕｃｔａｎｓ  Ｓｃｈｏｌｔｅｎ）の根感染による高麗人参の根腐病を予防するか、根腐病を早期に見つけるのが非常に難しいため、高品質の６年生高麗人参を裁培することは容易ではなく、また高麗人参裁培に成功しても既に高麗人参畑の土壌に存在しているカビ菌のため、引続く高麗人参裁培（連作）は実現できなかった。
【０００７】
一方、高麗人参の生理的特性上２８℃以上の温度では光合成作用をしないため、陽光の８８％ほどを遮光し、かつ適切な温度である夏季２０℃〜２７℃の維持のために遮陽施設が求められ、これは管理費上昇につながって高麗人参の国際的競争力を落とす要因になる。
【０００８】
特に、地球温暖化の影響で韓半島（朝鮮半島）の気候変化が深刻な現在の状況を考慮すれば、今後高麗人参裁培の難しさはさらに大きくなると予想され、これによって高麗人参裁培農家の被害規模も急速に増加する見込みである。
【０００９】
それだけでなく、人間の労働力と伝統的な遮陽施設に依存している伝統方式の高麗人参裁培法では、品質の優秀で均一な高麗人参を量産するには限界がある。実際に伝統的な高麗人参の遮陽施設の構造及び小スペースのため、高麗人参畑における機械装置及びデータ測定装置の活用が不可能である。そして、これまで高麗人参畑を半自動化するか、または太陽電池団地内に形成された陰の所に高麗人参畑を造成しようとする研究と試みがなかった。
【発明の概要】
【発明が解決しようとする課題】
【００１０】
本発明は、前述したようなカビ菌の根感染による高麗人参の根腐病を予防及び治療するために研究完成されたものであって、既存高麗人参畑の土壌または初めて裁培する高麗人参畑の土壌を高エネルギー電子ビームで照射して、高麗人参に有害なカビ菌を滅菌した後、拮抗微生物を供給することで高麗人参の根腐病などを予防し、無農薬有機農法による高品質の高麗人参を裁培できるだけでなく、６年産の高麗人参裁培を終えた後、この畑の土壌を再び電子ビームで照射してカビ菌を滅菌した後、拮抗微生物を供給して土壌を再使用可能にすることで、引続き連作を可能にした方法を提供するところにその主な解決課題がある。
【００１１】
また、本発明は、土壌中に存在する高麗人参に有害な無機物を除去し、有害カビ菌を滅菌すると同時に高麗人参の成長に良い拮抗微生物（Ａｎｔａｇｏｎｉｓｔｉｃ  Ｒｈｉｚｏｂａｃｔｅｒｉａ）を供給して高麗人参裁培に最適の土壌を提供することで、さらに高品質の高麗人参を裁培可能にしたところにもその解決課題がある。
【００１２】
それだけでなく、本発明は、無農薬及び有機農法で高品質の高麗人参裁培時に連作を可能にすることで、土地の利用効率を極大化させて農家所得を保全可能にしたところにもその解決課題がある。
【００１３】
また、本発明は、組立及び解体が容易であり、層積みの可能な高麗人参畑ユニットを使用して、気候条件に関係なく高麗人参裁培が可能であり、これを通じて品質の均一で優秀な高麗人参を量産可能にするところにもその解決課題がある。
【課題を解決するための手段】
【００１４】
本発明は、前記解決課題を達成するための手段として、高麗人参裁培用土壌にある根腐病を誘発するカビ菌を滅菌するための高麗人参裁培用土壌の滅菌方法において、前記高麗人参裁培用土壌を一定の速度及び厚さで移送しつつ、土壌にあるカビ菌が滅菌されるように土壌に電子ビームを照射することを特徴とする電子ビームを用いる高麗人参裁培用土壌の滅菌方法を提供する。
【００１５】
このとき、前記電子ビーム照射前に前記高麗人参裁培用土壌を電磁石に通過させて、その中に存在する鉄を含む無機物を先ず除去することが望ましい。
【００１６】
また、前記電子ビーム照射時に前記土壌厚さは５ｃｍ以下であり、その照射量は最小１０ｋＧｙ以上である。
【００１７】
それだけでなく、前記電子ビーム照射後に前記高麗人参裁培用土壌に拮抗微生物を供給する。
【００１８】
さらに、前記拮抗微生物は、優占菌、アゼロンから選択されたいずれか１つまたは２つ以上であり、これらの拮抗微生物の菌株として使われる製剤としては、おがくず、ぬか、油粕、骨粉、魚粉、麩、ゼオライト、グルコース、ＣａＯ、Ｎａ２ＣＯ３のうちいずれか１つまたは２つ以上混合される。
【００１９】
一方、本発明は、前記解決課題を達成するためのさらに他の手段として、高麗人参裁培用土壌の滅菌装置において、高麗人参裁培用土壌を粉砕、スクリーニングして一定量ずつ供給する土壌供給機と、前記土壌供給機を通じて供給された土壌を一定の速度で移送するメインコンベヤーと、前記メインコンベヤーにより移送される土壌中の有害カビ菌を滅菌するように、電子ビームを照射する電子ビーム照射ユニットと、を備えて構成されたことを特徴とする電子ビームを用いる高麗人参裁培用土壌の滅菌装置を提供できる。
【００２０】
このとき、前記土壌供給機には、土壌に入っている無機物を除去するための電磁石が設けられている。
【００２１】
また、前記電子ビーム照射ユニットを過ぎるメインコンベヤーの一端には、電子ビーム照射により滅菌された土壌に、優占菌、アゼロンから選択されたいずれか１つまたは２つ以上拮抗微生物を添加する拮抗微生物供給機がさらに設けられることもある。
【００２２】
それだけでなく、前記電子ビーム照射ユニットには、電子ビーム外部流出を遮断する安全遮蔽壁が設けられる。
【００２３】
なお、前記土壌供給機の前端には、土壌に含まれている塩類の除去のために、その下端に排水口を持って土壌が満たされる塩類除去タンクと、前記塩類除去タンクの上端に設けられ、かつ土壌に向けて水を噴射するスプリンクラーがさらに設けられる。
【００２４】
また、本発明は、前記解決課題を達成するための手段として、高麗人参裁培用土壌を粉砕、スクリーニングして一定量ずつ供給する土壌供給機と、前記土壌供給機を通じて供給された土壌を一定の速度で移送するメインコンベヤーと、前記メインコンベヤーにより移送される土壌中の有害カビ菌を滅菌するように電子ビームを照射する電子ビーム照射ユニットと、メインコンベヤーの終端に設けられる土壌移送コンベヤーと、土壌移送コンベヤーに沿って移送され、メインコンベヤーから排出される滅菌された土壌が充填されるようにその上部が開放されたボックス状になっている複数の高麗人参畑ユニットと、滅菌された土壌が充填された高麗人参畑ユニットを土壌移送コンベヤーから移送された後、陰の所に移送させて定着させるガイドレールと、を備えて構成されたことを特徴とする高麗人参裁培システムを提供する。
【００２５】
このとき、前記ガイドレールは、高麗人参畑ユニットを太陽電池パネルにより形成された陰の所に移送させ、前記高麗人参畑ユニットは、連結管及びラックにより太陽電池パネルの後ろの空間で一列または複数層に築き上げて層状に配列される。
【００２６】
そして、前記高麗人参畑ユニットの上端には、栄養分を噴射するように複数の穴を持つ液噴射管がさらに設けられることが望ましい。
【００２７】
また、前記高麗人参畑ユニットには、温度センサー及び湿度センサーがさらに備えられることが望ましい。
【００２８】
そして、前記高麗人参畑ユニットの上部には、曇りの日や雨の日に高麗人参の光合成活性化のために赤色または青色波長の光を照射する複数の赤色または青色ＬＥＤがさらに設けられることが望ましい。
【００２９】
なお、前記高麗人参畑ユニットの一側には、通風及び温度調節用冷却ファンがさらに設けられる。
【図面の簡単な説明】
【００３０】
【図１】本発明の第１実施例による電子ビームを用いる高麗人参裁培用土壌の滅菌方法の概略図である。
【図２】本発明の第１実施例による電子ビームを用いる高麗人参裁培用土壌の滅菌方法の概略図である。
【図３】本発明の第１実施例による滅菌装置の土壌供給機の詳細図である。
【図４】本発明の第１実施例による滅菌装置の微生物供給装置の詳細図である。
【図５】本発明の第２実施例による高麗人参裁培システムを示す概略図である。
【図６】本発明の第２実施例による高麗人参畑組立て体の設置例を示す例示図である。
【図７】本発明の第２実施例による高麗人参畑組立て体の例示的な側面図である。
【図８】本発明の第２実施例による高麗人参畑組立て体の例示的な正面図である。
【図９】本発明の第２実施例による高麗人参畑組立て体の例示的な斜視図である。
【発明を実施するための最良の形態】
【００３１】
以下、添付図面を参照して本発明による電子ビームを用いる高麗人参裁培用土壌の滅菌方法及び滅菌装置と、これを用いた高麗人参裁培システムの望ましい実施例をさらに詳細に説明する。
【００３２】
［第１実施例］
本発明の第１実施例は、電子ビームを用いる高麗人参裁培用土壌の滅菌方法及び滅菌システムに関する。
【００３３】
図１には、本発明による高麗人参裁培用土壌の滅菌方法による工程が概略的に図示されている。
【００３４】
図１によれば、本発明高麗人参裁培用土壌滅菌方法は、土壌に存在する有害カビ菌を滅菌するために電子ビームを照射する段階（Ｓ２０）が必須に含まれる。
【００３５】
かかる電子ビームは、タングステンなどの金属フィラメントを加熱する時に放出される熱電子を電位差により加速させる方式を用いて発生させることができる。
【００３６】
さらに詳細に説明すれば、タングステンなどの金属フィラメントを加熱すれば、フィラメント中の電子は、原子核の拘束を逸脱できるほど大きい熱運動エネルギーを得て、外部に放出される。物質によって熱電子が飛出す温度が異なり、タングステンなどのアルカリ土類金属は、他の金属に比べて低い温度で熱電子が放出される。このように金属フィラメントの外部に飛出した電子は電位差によりフローが発生でき、このような熱電子のフローを熱電子による電子ビームであるという。
【００３７】
このような熱電子放出による熱電子ビームは、放射性原子核がベータ（β）崩壊する時に放出される放射線の一種であるベータ（β）線（陰極線）と区別されるものであって、熱電子は人体に無害である。
【００３８】
そして、前記のような熱電子による電子ビーム以外にも、電子ビーム加速器で連続的なフローで放出される高エネルギーの電子ビームを得ることもできる。
【００３９】
通例的に、高麗人参の根腐病などを誘発する有害なカビ菌としては、前述したように、Ｃｙｌｉｎｄｒｏｃａｒｐｏｎ  ｄｅｓｔｒｕｔａｎｓ、Ｆｕｓａｒｉｕｍ  ｓｏｌａｎｉ、Ｅｒｗｉｎｉａ  ｃａｒｏｔｏｖｏｒａ、Ｐｓｅｕｄｏｍｏｎａｓ  ｆｌｕｏｒｅｓｃｅｎｓなどがあり、これらに電子ビームを照射することで、これら有害カビ菌を滅菌できるようになる。
【００４０】
本発明による電子ビームによる滅菌は、高エネルギーの電子ビームが土壌中のカビ菌と衝突して土壌中に存在している有害カビ菌を滅菌することであり、このように電子ビームが滅菌作用をするメカニズムは既知のものであるので、その詳細な説明は省略する。
【００４１】
また、高麗人参裁培用にさらに良い土壌を作るためには、土壌中に存在する鉄（Ｆｅ）とアルミニウム（Ａｌ）などの無機物を除去する無機物除去段階（Ｓ１０）、及び高麗人参の病害を抑制して成長に有効な拮抗微生物を供給する拮抗微生物供給段階（Ｓ３０）をさらに含むことが望ましい。
【００４２】
この時、前記無機物除去段階（Ｓ１０）は、土壌中にある鉄などの無機物が高麗人参に有害なカビ菌の栄養分になって有害カビを活性化されることによって、高麗人参の病害を引き起こす原因になるので、これを除去することが望ましいところ、これを除去するための過程である。
【００４３】
そして、前記拮抗微生物供給段階（Ｓ３０）は、土壌病原菌の活性を抑制して高麗人参の病害を抑制し、高麗人参の生長に役に立つ拮抗微生物を土壌に供給する過程である。
【００４４】
図１に図示された本発明によれば、コンベヤーなどの土壌移送手段を用いて土壌を一定の速度で移送させつつ、無機物除去段階（Ｓ１０）と、電子ビーム照射段階（Ｓ２０）及び拮抗微生物供給段階（Ｓ３０）を順次に行わせることが望ましい。
【００４５】
ここで、土壌に含まれている無機物、特に、鉄が含まれた無機物は磁力を用いて除去することが望ましい。
【００４６】
さらに、高麗人参の病害の抑制に使われる拮抗微生物としては、前述したように、優占菌、アゼロンなどが望ましく、これら拮抗微生物の菌株として使われる製剤には、おがくず、ぬか、油粕、骨粉、魚粉、麩、ゼオライト、グルコース、ＣａＯ、Ｎａ２ＣＯ３などが望ましく、これらを混合添加できる。
【００４７】
一方、移動式電子ビーム照射ユニットを用いて直接高麗人参畑に照射する方法が想定できるが、このような方案は、高麗人参畑に既に高麗人参が植えられており、遮陽装置が設けられている状態で、移動式電子ビーム照射ユニットを用いて電子ビームを照射するという自体が事実上不可能であり、高麗人参畑が平坦でもなく規格化していないため、電子ビーム照射ユニットを移動させつつ直接照射するということは、手間に比べて効率があまりにも低いという問題点のため、本発明のように、高麗人参畑で高麗人参裁培を終了した後、土壌を撤去して滅菌処理した後、再び高麗人参畑に撒く方法が非常に効率的であるといえる。
【００４８】
このように土壌を一定の速度で移送しつつ高麗人参裁培用土壌を滅菌する方法では、コンベヤーのような移送手段を用いてコンベヤー上に一定の量及び厚さの土壌を搭載した状態で連続的に移送しつつ、移送中の無機物除去、電子ビーム照射及び拮抗微生物供給などのＳ１０〜Ｓ３０過程を行うことが望ましい。
【００４９】
図２には、本発明の第１実施例による電子ビームを用いる高麗人参裁培用土壌滅菌装置が図示されている。
【００５０】
図２に図示されたように、本発明による高麗人参裁培用土壌の滅菌装置は、一定速度で移送するメインコンベヤー１０と、前記メインコンベヤー１０上に一定の量及び厚さで土壌を載せる土壌供給機４と、土壌中の無機物を除去する無機物除去器６、前記メインコンベヤー１０により移送される土壌に電子ビーム２を照射して土壌内に存在するカビ菌を滅菌する電子ビーム照射ユニット１と、滅菌された土壌に微生物を供給する拮抗微生物供給機９と、を備えてなる。
【００５１】
まず、本発明で使われる土壌は、高麗人参を裁培したことのない初作地の土壌や、または既に高麗人参を裁培した連作地の土壌を撤去して使用できる。
【００５２】
この時、既存に高麗人参を栽培した土壌を撤去して使用する場合には、既存の高麗人参裁培の特性上、連作裁培が不可能であった高麗人参畑の土壌を撤去して滅菌した後、再びこの土壌で高麗人参畑の畔を作ることで高麗人参の連作裁培を可能にすることができる。
【００５３】
そして、本発明によって滅菌された土壌は、高麗人参を裁培するための土地に、高麗人参の根深さを考慮して約３０〜５０ｃｍ厚さに高麗人参畑の畔を作ることが望ましい。
【００５４】
また、本発明による滅菌装置では、一定量の土壌を供給し続けるための土壌移送手段として、メインコンベヤー１０を使用する。
【００５５】
すなわち、一定の量及び厚さの土壌が土壌供給機４内で、無機物除去器６により鉄、アルミニウムなどの無機質が除去された後、メインコンベヤー１０に載せられて移送されつつ、メインコンベヤー１０上に設けられている電子ビーム照射ユニット１から照射される電子ビーム２により、土壌中の有害なカビ菌が滅菌され、カビ菌が滅菌された土壌は、拮抗微生物供給機９を経つつ高麗人参の成長に有効な拮抗微生物などが土壌中に添加される。
【００５６】
ここで、前記土壌供給機４に土壌を連続的に供給し続けるために、前記土壌供給機４の前端部には図３のように、土壌が満たされうる塩類除去タンク１２が備えられ、この塩類除去タンク１２の上端には水を噴射できるスプリンクラー１４が設けられ、これを通じて噴射された水は、土壌中の塩類を除去した後、排水口１３を通じて配水処理されるように構成されうる。
【００５７】
それだけでなく、前記過程を経て塩類が除去された土壌は、土壌粉砕器１５を通じて一定の量及び大きさに処理され、土壌供給コンベヤー１０’を通じて土壌供給機４に移送されるようにすることが望ましい。
【００５８】
また、前述したように、本発明では、土壌に電子ビームを照射する前に土壌中に存在している鉄とアルミニウムなどの無機物を除去するために、無機物除去器６が設けられうるが、このような無機物除去器６は、磁力を用いて無機物を吸着除去するように電磁石を用いることが望ましい。
【００５９】
この時、電磁石で形成された前記無機物除去器６は、土壌供給機４の両側に設けられることが望ましい。
【００６０】
そして、前記土壌供給機４の上部には、土壌にある異物を除去して一定サイズ以下の粒径だけを持つ土壌のみを供給するために、土壌をろ過する金網型のスクリーン５が設けられることが望ましく、その下端には、メインコンベヤー１０で一定量の土壌を供給制御するための電動モータ７及び開閉弁８が設けられうる。
【００６１】
ここで、前記電動モータ７は機械的なノイズと電気的なノイズとが発生しないＢＬＤＣモータ（Ｂｒｕｓｈｌｅｓｓ  ＤＣ  Ｍｏｔｏｒ）を使用することが望ましい。
【００６２】
したがって、予め設定されたメインコンベヤー１０の移動速度によって前記電動モータ７が開閉弁８の開度を調節して、前記メインコンベヤー１０上に一定の量及び厚さの土壌を連続的に積載可能になる。
【００６３】
このようにして、前記土壌供給機４を通じて供給された一定の量及び厚さの土壌はメインコンベヤー１０に沿って移送され、その過程で図２のような電子ビーム照射ユニット１を通じて滅菌処理される。
【００６４】
例えば、前記電子ビーム照射ユニット１としては、タングステンなどの金属フィラメントを加熱し、前記金属フィラメントから放出される熱電子を電位差により加速させる装置が用いられうる。
【００６５】
このような熱電子放出による熱電子ビームは、放射性原子核がベータ（β）崩壊する時に放出される放射線の一種であるベータ（β）線（陰極線）と区別されるものであって、熱電子は人体に無害であるが、放射線であるベータ（β）線は放射能による汚染の恐れがある。
【００６６】
ただし、熱電子による電子ビームであっても、長時間作業者に露出される場合に危険が発生しうるので、前記電子ビーム照射ユニット１は、安全遮蔽壁３により遮蔽されることが望ましい。もちろん、前記安全遮蔽壁３の下端は、前記メインコンベヤー１０と一定間隔をおいて離隔させて、土壌を載せた状態で前記安全遮蔽壁３にかからずに円滑に動くように構成されねばならないということは当然である。
【００６７】
さらに、前記安全遮蔽壁３を設ける理由は、電子ビーム２が人体に危害を加える恐れがあるため、これを予め遮断して作業者の安全を確保するためである。
【００６８】
したがって、前記電子ビーム照射ユニット１に含まれた電子ビーム加速器から放出された電子ビーム２は、メインコンベヤー１０に沿って一定速度で移動する土壌に照射され、これによって土壌中に存在している有害菌は滅菌される。
【００６９】
さらに、本発明による電子ビーム照射ユニット１は、約０．４〜１０ＭｅＶの電子加速器を用いて電子ビーム照射量を最小限１０ｋＧｙ（Ｋｉｌｏｇｒａｙ）以上にし、ただし、電子ビーム照射量を大きくすれば電子加速器の容量も増大するので、経済性側面で１０〜３０ｋＧｙに維持させることが望ましい。
【００７０】
また、メインコンベヤー１０上で移送される土壌の厚さは、前記電子ビーム照射ユニット１の電子ビーム照射量によって変わるが、５ｃｍ以下に維持することが望ましい。もし、土壌厚さが５ｃｍより大きい場合には、電子ビームエネルギー量を非常に大きくせねばならないという短所がある。
【００７１】
一方、本発明によれば、電子ビーム２によりカビ菌などの滅菌された土壌に高麗人参の成長に有効な拮抗微生物を添加することが望ましいが、このために電子ビーム照射ユニット１の後段に拮抗微生物供給機９が設けられる。
【００７２】
前記拮抗微生物供給機９は、図２及び図４に図示されたように、一つ以上の拮抗微生物供給容器１６が設けられ、その下端には、容器に一定量の微生物を供給するための電動モータ７’と開閉弁８’とが設けられる。
【００７３】
この時、前記電動モータ７’と開閉弁８’とは、前述した土壌供給機４に設けられた電動モータ７及び開閉弁８と同じもので備えられることが望ましい。
【００７４】
ここで使われる高麗人参拮抗微生物としては、前述したように、優占菌、アゼロンなどが望ましく、これら拮抗微生物の菌株として使われる製剤としては、おがくず、ぬか、油粕、骨粉、魚粉、麩、ゼオライト、グルコース、ＣａＯ、Ｎａ２ＣＯ３などが望ましい。
【００７５】
さらに、前記拮抗微生物は、土壌中で抗生作用をするので防除力に優れ、抗酸化作用を強化させ、拮抗効果に優れて各種病原菌に対する抵抗性が強化され、優点復原力に優れて作物の各種疾病発生を強力に抑制させ、日照量が足りなくても光合成を自体供給して発育を促進し、有害な微生物を摂取しながら増殖して発生する分泌物は、乳酸菌などの有効な微生物を増殖させるのに使われる高麗人参の生長に非常に有益な微生物である。
【００７６】
そして、前記拮抗微生物供給機９を通じて拮抗微生物が投射された滅菌土壌は、図２に図示されたような土壌移送コンベヤー１０”を通じて必要箇所に移動するようになる。
さらに、前述した説明では、本発明による土壌の滅菌方法及び滅菌装置が高麗人参のみに対して適用されると説明されたが、これに限定されずに本発明の技術的思想の範ちゅう内で多様な変更が可能なところ、いわゆる、他の作物、特に根薬用作物と救荒作物及びイチゴまたは唐辛子などの連作被害のある他の作物にも適用できるということはいうまでもない。
【００７７】
以下、実験例について説明する。
【００７８】
本発明による電子ビーム照射により高麗人参の根腐病を誘発するＣｙｌｉｎｄｒｏｃａｒｐｏｎ  ｄｅｓｔｒｕｃｔａｎｓ（以下、Ｃ．ｄｅｓｔｒｕｃｔａｎｓという）が滅菌されるかどうかを確認するために、Ｃ．ｄｅｓｔｒｕｃｔａｎｓが存在する土壌に電子ビームを照射した後、ＤＮＡ分析を通じてＣ．ｄｅｓｔｒｕｃｔａｎｓの存否を確認した。
【００７９】
この時、電子ビームは、５ｋＧｙ（ｋＧｙ：電子ビーム照射量単位（Ｋｉｌｏｇｒａｙ））、１０ｋＧｙ、１５ｋＧｙ、２０ｋＧｙ、３０ｋＧｙなどの照射量に区分して照射し、また土壌の深さに対する変化も観察するために、各電子ビーム照射量に対して土壌厚さを異ならせて対照群に分けて実験し、その結果は表１の通りである。
【００８０】
【表１】
0005303583.tif 000002
【００８１】
前記表１のように、１０ｋＧｙ未満の電子ビーム照射ではＣ．ｄｅｓｔｒｕｃｔａｎｓが滅菌されず、１０ｋＧｙ以上の電子ビーム照射では土壌厚さ５ｃｍ以下までＣ．ｄｅｓｔｒｕｃｔａｎｓが滅菌されたことが確認できた。またＣ．ｄｅｓｔｒｕｃｔａｎｓ滅菌状態は、電子ビームエネルギーが大きいほど、土壌厚さが薄いほど向上するが、土壌厚さより電子ビームエネルギー量にさらに依存することが分かる。
【００８２】
一方、電子ビーム照射後に行った重合酵素連鎖反応（Ｐｏｌｙｍｅｒａｓｅ  Ｃｈａｉｎ  Ｒｅａｃｔｉｏｎ；ＰＣＲ）の結果、高麗人参裁培の初作地だけでなくＣ．ｄｅｓｔｒｕｃｔａｎｓの量が増大した再作地までも、１０ｋＧｙ以上の電子ビーム照射でＣ．ｄｅｓｔｒｕｃｔａｎｓが１００％滅菌されることが確認できた。
【００８３】
ここで、前記ＰＣＲは、特定ＤＮＡ部位を特異的に反復合成して試験管内で所望のＤＮＡ分子を増幅させる方法であって、根腐病を誘発するＣ．ｄｅｓｔｒｕｃｔａｎｓをＰＣＲ技法を用いて高麗人参から直接検出した。
【００８４】
このような実験結果、高麗人参に根腐病を誘発する主原因であるＣ．ｄｅｓｔｒｕｃｔａｎｓが電子ビームを照射しても、小さな照射量では菌が死なない一方、少なくとも１０ｋＧｙ以上では滅菌されることが確認されたところ、これを通じて電子ビーム照射方式でＣ．ｄｅｓｔｒｕｃｔａｎｓを滅菌させることができるということが立証された。
【００８５】
本発明による電子ビーム照射により滅菌された土壌を使用した場合と、そうでない場合との高麗人参成長速度を比較した結果、初作地か再作地かを問わず、滅菌された土壌で育った高麗人参は、滅菌されていない土壌で育った蘭高麗人参に比べて概略１．２倍ほどの旺盛な成長速度を確認した。これにより、本発明の電子ビーム照射による滅菌方式が有効であるということが完全に確認できる。
【００８６】
［第２実施例］
第２実施例は、前述した第１実施例過程を通じて滅菌された土壌を用いて高麗人参を効率的に裁培するための高麗人参裁培システムに関する発明である。
【００８７】
図５は、本発明による高麗人参裁培システムを示す概略図であり、図６は、本発明による高麗人参畑組立て体の設置例を示す例示図であり、図７は、本発明による高麗人参畑組立て体の例示的な側面図であり、図８は、本発明による高麗人参畑組立て体の例示的な正面図であり、図９は、本発明による高麗人参畑組立て体の例示的な斜視図である。
【００８８】
図５及び図６を参照すれば、本発明の第２実施例による高麗人参裁培システムは、前記第１実施例を構成するメインコンベヤー１０、電子ビーム照射ユニット１、無機物除去器６、拮抗微生物供給機９、塩類除去タンク１２などの構成要素と、このような第１実施例の各種滅菌過程を経た土壌を用いて、太陽電池パネル１００の陰の所で高麗人参を裁培するための高麗人参畑組立て体を含む構造とで形成される。
【００８９】
このような高麗人参畑組立て体は、メインコンベヤー１０に沿って移動しつつ各種滅菌過程を経た土壌が積層されるように、土壌移送コンベヤー１０”に沿って移動する所定サイズの高麗人参畑ユニット３００と、太陽電池パネル１００、前記太陽電池パネル１００により生じた陰の所に配列設置されて、前記高麗人参畑ユニット３００が載置されるガイドレール２００とを備える構造になっている。
【００９０】
図６ないし図９に図示されたように、太陽電池パネル１００は、これを支持するための柱１１０、１１２と、前記柱１１０、１１２を互いに連結して堅く結束させる連結台１２０とを備えているが、太陽電池パネル１００が太陽光熱を遮断しつつ生じる陰の所を用いるために、前記柱１１０、１１２が設けられた空間上にガイドレール２００と高麗人参畑ユニット３００とが備えられる。
【００９１】
さらに具体的に、本発明による高麗人参畑組立て体は、前記太陽電池パネル１００の長手方向に柱１１０、１１２の内側に配列設置された一対のガイドレール２００を備える。
【００９２】
ここで、前記柱１１０、１１２の内側という表現は、太陽電池パネル１００の長手方向に間隔をおいて配列された柱ではなく、幅方向に配列された柱と柱間の空間を意味する。
【００９３】
前記ガイドレール２００は、概略‘Ｌ’字状に形成されることが望ましく、詳細に図示されていないが、前記柱１１０、１１２にボルト締結される方式で組立て及び解体が容易になるように構成されうる。
【００９４】
一方、前記ガイドレール２００は土壌移送コンベヤー１０”に連結され、滅菌された土壌が積層された高麗人参畑ユニット３００が土壌移送コンベヤー１０”に沿ってガイドレール２００に移送された後、再びガイドレール２００に沿って太陽電池パネル１００の陰の所または任意の高麗人参畑に移送されて載置するように構成されることが望ましい。
【００９５】
また、前記ガイドレール２００には、高麗人参畑ユニット３００が容易に移送されるように一定間隔をおいて複数の輪２００が自回転自在に設けられる。
【００９６】
前記高麗人参畑ユニット３００は、上面の開放された方形ボックス状の部材であって、その内部には高麗人参を裁培できる土壌が充填されるが、このように高麗人参畑ユニット３００に充填される土壌は、前述した第１実施例を経つつ滅菌された土壌を表す。
【００９７】
さらに、充填された土壌の上部には液供給管３１０が配管される。すなわち、前記液供給管３１０は、前記高麗人参畑ユニット３００の上部に複数回折り曲げ配列された形態で設けられて、土壌全体にわたって必要な液を噴射できるように設けられる。
【００９８】
また、前記液供給管３１０には微細な穴が複数形成されていて、液供給管３１０を通じて供給された液が充填された土壌に排出されるように構成される。
【００９９】
ここで、前記液供給管３１０を通じて供給される額は栄養分などになりうる。
【０１００】
この場合、栄養分はＥＣ濃度別に０．５、１．０ｄＳ／ｍを調剤した後、毎月２回（１日、１６日）ほど供給する。特に、前記栄養分は農村振興庁の養液を基準として設定して用いることが望ましく、養液のＰＨは、Ｈ２ＳＯ４とＫＯＨとを用いて５．０〜６．０に調整することが良い。
【０１０１】
このような原始養液の組成は、次の表１の通りであり、単位はｇ／４００Ｌである。
【０１０２】
【表２】
0005303583.tif 000003
【０１０３】
そして、前記高麗人参畑ユニット３００の上部枠には、複数の温度センサー３２０及び湿度センサー３３０を設けて、高麗人参裁培に最適の温度及び湿度をメンテナンスできるように構成されることが望ましい。
【０１０４】
これらセンサーは具体的に図示していないが、マイクロプロセッサーなどの制御部（図示せず）と連結されて、各高麗人参畑ユニット３００における高麗人参の生育による環境（条件）を管理してデータ化できるように構成されるだけではなく、これをモニタリングできるようにディスプレイをさらに連結設置できる。
【０１０５】
さらに、前記高麗人参畑ユニット３００の上部にはスプリンクラー３４０を設け、これを通じて高麗人参裁培に必要な水分あるいは病害虫防止用農薬などを散布できるように構成されうる。
【０１０６】
一方、前記高麗人参畑ユニット３００は複数個備えられ、各高麗人参畑ユニット３００の間は連結管Ｃにより連結されるが、前記連結管Ｃはクイックカップリング状に連結されて、組立てと分解とが短時間に容易に行われるように構成され、特に、前記液供給管３１０同士を互いに連結することで、液供給の効率性を高めるように構成されることが望ましい。
【０１０７】
それだけでなく、前記連結台１２０には、これを横切って少なくとも一つ以上のＬＥＤ固定台４００が設けられる。
【０１０８】
前記ＬＥＤ固定台４００は、その下面に複数のＬＥＤ４１０が設けられて、太陽光熱が十分でない時に光合成を活性化させるために活用される。
【０１０９】
このために、前記ＬＥＤ４１０は赤色と青色の二種が使われ、土壌、すなわち、裁培される高麗人参に向けて特定波長の光を放出できるように構成される。
【０１１０】
さらに、冷却ファン５００が高麗人参畑ユニット３００の一側に設けられて、高麗人参畑ユニット３００の温度調節のために使われ、夏の高麗人参畑の生育条件は２０〜２７℃が適当である。
【０１１１】
前記ＬＥＤ４１０は、高麗人参の光合成を手伝うために設けられるものであって、光合成は、空気中にある二酸化炭素が葉を通じて、そして地中の水が植物の根を通じて植物の葉細胞に入っている葉緑体内に吸収され、葉緑体の葉緑素に光エネルギーが吸収されれば、葡萄糖などの炭水化物と酸素、そして水が生成される作用であって、反応式は次の通りである（式１，２）。
【０１１２】
【数１】
0005303583.tif 000004
【０１１３】
【数２】
0005303583.tif 000005
【０１１４】
この時、最初または２番目の反応式を見れば、緑色植物の光合成に光エネルギー、すなわち、可視光線範囲のエネルギーが光合成の化学反応を活性化させることが分かる。
【０１１５】
緑色植物が光合成作用をする時、植物の葉が空気中にある二酸化炭素を吸収する量を観察すれば、可視光線スペクトルの青色と赤色との二つの区間で二酸化炭素吸収量−曲線が最大値を持つ。
【０１１６】
言い換えれば、緑色植物は、赤色と青色との可視光線で空気中の二酸化炭素（ｉｎｐｕｔ）を最大限吸収した後、そして、吸収された二酸化炭素量に比例して光合成の結果物（ｏｕｔｐｕｔ）として、最大限の葡萄糖と酸素とを作り出す。
【０１１７】
したがって、青色と赤色とのＬＥＤを個別的にまたは同時に使用して、植物に及ぶ可視光線の照明時間及び照明の強度を調節すれば、すなわち、植物に伝達される青色と赤色との可視光線を任意で調節すれば、植物の光合成の時間及び強度が調節されるため、目的によって開花時期や実の収穫量までも調節できる。
【０１１８】
本発明では、雲があって日光が足りない時、または梅雨期の雨の日でも高麗人参が光合成を行えるように、セット型の高麗人参畑ユニット３００に青色または赤色照明ＬＥＤ４１０を設け、高麗人参畑ユニットに青色（波長４７０ｎｍ）または赤色（波長６５０ｎｍ）の光を照射することで高麗人参の生育を手伝って生産性を高めるだけでなく、さらに高麗人参のサポニンの含量を高めるようになって、より高品質の高麗人参を生産できるようになる。
【０１１９】
なお、図４のように柱１１０、１１２に電動モータＭを設け、ラックとピニオンを組み合わせて柱１１０、１１２をアンテナ形態で出し入れ可能に構成することで、太陽電池パネル１００の傾斜角を調節できる。
【０１２０】
このような構成になっている本発明の第２実施例は、次のような作動関係を持つ。
【０１２１】
前述した第１実施例を経つつ滅菌された土壌が、土壌移送コンベヤー１０”上に載置された高麗人参畑ユニット３００に充填される。この時、滅菌された土壌が排出されるメインコンベヤー１０の速度と、高麗人参畑ユニット３００が載置されている土壌移送コンベヤー１０”の移動速度とを適切に調節して、滅菌された土壌が高麗人参畑ユニット３００に適切な高さに均一に充填されるように構成することが望ましい。
【０１２２】
このように滅菌された土壌が充填された高麗人参畑ユニット３００は、土壌移送コンベヤー１０”に連結されたガイドレール２００に移送され、太陽電池パネル１００の陰の所へ移送されて載置されることで、高麗人参裁培の可能な状態になる。
【０１２３】
この時、前記高麗人参畑ユニット３００は、高麗人参畑ユニットが位置する地形を考慮して連結管とラックとを使用して一列に配列しても、複数を層を重ねて配置してもよいので、組立てと分解とが可能である。
【０１２４】
この状態で、高麗人参畑ユニット３００の温度と湿度とは各センサーにより持続的に検出され、これを制御部が受信して冷却ファン５００の駆動を制御することで、高麗人参の生育に最適の温度に常時調節できる。
【０１２５】
そして、必要な場合、液供給管３１０を通じて栄養分を供給して高麗人参の発育をさらに良くできる。
【０１２６】
それだけでなく、スプリンクラー３４０を通じて水分と農薬などを容易かつ自動的に供給できて、さらに優秀な品質の高麗人参を裁培できるようになって、手間を大幅低減させることができる。
【０１２７】
また、分解及び組立てが容易で交替使用がやさしく、特別管理の必要なユニットのみを別途分離して管理することもできる。
【０１２８】
さらに、管理に必要なあらゆるデータを保存して確認することができて、今後裁培技術の技術熟練度をさらに高めることができる資料として活用することもできる。
【０１２９】
なお、このような構成を植木鉢の形態に小型化すれば、家庭でも容易に高麗人参を裁培できるようにもなりうる。
【産業上の利用可能性】
【０１３０】
本発明による電子ビームを用いる高麗人参裁培用土壌の滅菌方法及び滅菌装置によれば、土壌を電子ビームで照射して高麗人参に有害なカビ菌を滅菌した後、高麗人参裁培用に使用することで、カビ菌により生じる高麗人参の各種病害を予防して高品質の高麗人参を裁培できる効果を得ることができる。
【０１３１】
また本発明は、高麗人参裁培を終了した後、土壌を再び電子ビームで照射してカビ菌を滅菌した後、再び土地に撒いて使用することで高麗人参の連作を可能にした効果も提供する。
【０１３２】
それだけでなく、本発明は、土壌中にある有害カビ菌を滅菌すると同時に、高麗人参に有害性のある無機物を除去し、高麗人参の成長に良い拮抗微生物を供給して高麗人参裁培に最適の土壌を提供して、さらに高品質の高麗人参を裁培できるようにした効果も提供する。
【０１３３】
さらに、本発明は、高麗人参裁培時に連作を可能にして土地の利用効率を極大化させ、連作による農家所得を保全し、持続的な高麗人参裁培団地を育成できる効果も提供する。
【０１３４】
なお、本発明による土壌の滅菌方法及び滅菌装置は、高麗人参だけでなく付加価値の高い他の薬用作物と救荒作物及びイチゴまたは唐辛子などの連作被害が発生する一般作物の裁培にも応用できる効果も提供する。
【０１３５】
そして、本発明による高麗人参裁培システムによれば、平地に造成されている既存の太陽電池団地内にある太陽電池パネルと太陽電池パネルとの間の陰の所を高麗人参畑として使用できる。
【０１３６】
また、高麗人参畑自体をモジュール形態でユニットに作ったため、任意に陰を造成した露地や太陽電池団地内で地形に合わせて一列にまたは層を重ねて、いかなる地形条件でも最適化した高麗人参畑の造成が可能である。
【０１３７】
また、モジュール型の高麗人参畑ユニットは、温度湿度の測定及び栄養要素の成分分析を通じて各種データの確保が可能であり、このデータを通じて高麗人参の生育をモニタリングでき、その結果をフィードバックさせて機能性の追加された高品質の高麗人参裁培も可能である。
【０１３８】
さらに、ＬＥＤ照明を使用して長い梅雨期間や曇りの日でも高麗人参が光合成できるように手伝うことで、気候条件に関係なく高麗人参を裁培できる。
【図１】
0005303583.tif 000006
【図２】
0005303583.tif 000007
【図３】
0005303583.tif 000008
【図４】
0005303583.tif 000009
【図５】
0005303583.tif 000010
【図６】
0005303583.tif 000011
【図７】
0005303583.tif 000012
【図８】
0005303583.tif 000013
【図９】
0005303583.tif 000014